(57)【要約】      （修正有）【課題】電気シェーバーのヒーターに、ホルダーカバーに、高温度に強い、スチール材料を、活用して、高温度に、成らない、スチール材料を有効に活用する。【解決手段】電気ヒーター高温度を、吸収換気扇を、活用して、高温度を吸収して、高熱や皮膚の、火傷や、痛みを解除出来る。【選択図】図１
2006289026.tif 000002
【特許請求の範囲】
【発明の詳細な説明】
【技術分野】
【０００１】電気ヒーター充電器方式と、乾電池方式にて、ヒーターに、電気を流して、高温度の熱を出す。【０００２】電気ヒーターを、回転式にして、皮膚の熱さを、控える。【０００３】電気ヒーターホルダーカバーの、材料を、スチール財として、熱を感じなくする為、火傷しない様にする。【０００４】材料の、スチール粉体途装仕上げにし、滑らかに感じる様にする。【０００５】材料の、スチール熱帯植毛仕上げにし、より滑らかに感じる様にする。【０００６】火傷や、高熱や、痛みを、無くす為にも、高熱を、吸収換気扇風機を利用する。
【背景技術】
【０００１】シエーバーのカミソリ刃から、新しく特許は、電気ヒーター活用して、顔のヒゲを、焼き切り落とす方法で、２〜３ｍｍ焼けても火傷や痛みない。【０００２】電気ヒーターホルダーカバーに、スチール材料を活用すると、熱に強く熱さが感じなくなり、心地好く感じます。【０００３】火傷や、高熱や、痛みを、無くす為にも、高熱を、吸収換気扇風機を利用する。
【特許文献１】電気ヒーターにて、顔ビゲ、中心に、焼き切ると、三日以上、ヒゲが、生え無くなり、小さく、少しで、短く、遅い体質の人は、一週間程度、１ｍｍほどしか毛が、生えてこなくなり、ヒゲ剃りしなくても、すみそうです。
【特許文献２】顔ヒゲも、手の毛や、足の毛や、髪の毛も、手の脇毛も、焼き切ると、毛が、生えなくなりますので、きれいに美しく成り便利です。
【特許文献３】火傷や、高熱や、痛みを、無くす為にも、高熱を、吸収換気扇風機を利用する。
【特許文献４】ヒゲや、毛を、吸収換気扇風機、利用して、引っ張って、良く切れるように利用する。
【非特許文献１】シェーバーの外形方のスマート法式。
【発明の開示】
【発明が解決しようとする課題】
【０００１】解決しようとする問題点は、顔ヒゲも、手の毛も、腕のワキ毛も、足の毛も、頭の毛も、電気ヒーターにて、焼き切る方法で、高温度の為、人間の皮膚が、熱くなり、火傷や、痛みを、無くす為に、電気ヒーターカバーに、スチール材料利用にて、解決する。【０００２】火傷や、高熱や、痛みを、無くす為にも、高熱を、吸収換気扇風機を利用する。【０００３】ヒゲや、毛を、吸収換気扇風機、利用して、引っ張って、良く切れるように利用する。【０００４】ヒゲや、毛わ、焼き落とした後、焼け毛が、少し残るので、タオルを水で、たらして、皮膚を、ふく必要がある。その他皮膚が、赤みた場合は、火傷のクリームをつける。
【課題を解決しようとする課題】
【０００１】電気ヒーター使用すると、高熱度で、皮膚が焼けどや熱くて、利用でき難いことを。解消すること。
【課題を解決するための手段】
【０００１】解決しようとする問題点は、顔ヒゲも、手の毛も、腕のワキ毛も、足の毛も、頭の毛も、電気ヒーターにて、焼き切る方法で、高温度の為、人間の皮膚が、熱くなり、火傷や、痛みを、無くす為に、電気ヒーターカバーに、スチール材料利用にて、解決する。
【０００２】火傷や、高熱や、痛みを、無くす為にも、高熱を、吸収換気扇風機を利用する。
【０００３】ヒゲや、毛を、吸収換気扇風機、利用して、引っ張って、良く切れるように利用する。
【０００４】ヒゲや、毛わ、焼き落とした後、焼け毛が、少し残るので、タオルを水で、たらして、皮膚を、ふく必要がある。その他皮膚が、赤みた場合は、火傷のクリームをつける。
【発明の効果】
【０００１】シエーバーのカミソリ刃から、新しく特許は、電気ヒーター活用して、顔のヒゲを、焼き切り落とす方法で、２〜３ミリ焼けても火傷や痛みない。
【発明を実施するための最良の形態】
【０００１】一般の電気シェーバー型と、同形式で良い。
【実施例】
【０００１】電気半田ゴテを、利用して、スチール製品の網戸カバーをして、顔ヒゲ、足毛や手の脇毛を、焼き切ることが、出来る。【０００２】乾電池利用して、バネカネ活用しても、毛を、焼き切ることが、出来る。【０００３】充電池式のシェーバー利用を改造して、バネカネ利用して、毛を焼き、切るように、改造したが、低温度で、切れにくかった。電圧アップする。【０００４】ヘヤードライヤーを改造して、温度発生してる、バネカネは、高温度のために、皮膚が熱くて、利用出来にくかったので、電圧の調整機応用する。
【産業上の利用可能性】
【０００１】顔のヒゲ剃り、腕の毛剃り、腕のワキ下毛剃り、足の毛剃り、耳毛剃り、鼻毛剃りと形態を、別々に作成することが、出来るので、美容院やサンバツ屋等に利用可能。
【図面の簡単な説明】
【符号の説明】
【０００１】電気シェーバー用に電気ヒーター用を、ガラスヒーターを活用して、顔ヒゲや毛を、焼き切る良く活用する。、
【０００２】電気シエーバー用に電気ヒーター用を、バネ方ヒーターを活用して、顔ヒゲや毛を、焼き切る良くを、活用する。
【０００３】電気シェーバー用に電気ヒーター用を、ヒーター複数にして、ヒーターを回転式にして、高温度を皮膚に柔らしいく、火傷などしないように、顔ヒゲや毛を、焼き切り良く、出来るようになる。
【図１】
2006289026.tif 000003
【図２】
2006289026.tif 000004
【手続補正書】
【提出日】平成17年8月9日(2005.8.9)
【手続補正１】
【補正対象書類名】明細書
【補正対象項目名】全文
【補正方法】変更
【補正の内容】
【発明の詳細な説明】
【技術分野】
【０００１】電気ヒーター直通や、充電器法式や、乾電池法式活用し、電圧切り替えにして、電気ヒーター形式に、電気流して、髪の毛やヒゲを、焼き切る【０００２】電気ヒーター形式を、回転式にして、皮膚肌の熱さを、控える形式【０００３】電気ヒーターホルダーカバー材料を、スチール製品利用し、高熱カバーし、火傷防止する【０００４】電気ヒーターホルダーカバー材料を、スチール粉体途装仕上げ製品利用し、滑らか化する【０００５】電気ヒーターホルダーカバー材料を、スチール熱帯植毛仕上げ製品利用し、高熱防止する【０００６】高温度排除する為に、高熱吸収換気扇機、掃除機利用し、高熱排除と、毛を、カットした毛を、吸い取る設定
【背景技術】
【０００７】シェーバーのカミソリ刃が、毛カットから、電気ヒーター形式の毛カット形状に機能を登用し顔ヒゲや、手の毛や、脇毛や、足毛や、鼻毛耳毛頭毛も、焼き切る電気ヒーターを活用新案【０００８】電気ヒーター用の安全カバー活用として、スチール製品粉体装仕上げで、柔らかい感じ熱帯防止制度形式利用する【０００９】高温度、減少する為に、高熱吸収換気扇風機形式掃除機で、高温度と毛吸い取り形式活用
【特許文献１】特許庁にて調査したが、不明
【非特許文献２】特許庁にて調査したが、見付からなかった
【発明の開示】
【発明が解決しようとする課題】
【００１０】解決しようとする問題点は、顔ヒゲも、手の毛も、腕のワキ毛も、足の毛も、頭の毛も電気ヒーターにて、焼き切る方法で、高温度の為、人間の皮膚肌安全化【００１１】電気ヒーターホルダーカバーの、材料を、スチール財として、火傷しないように、熱を感じなく減少させて、防止する【００１２】電気ヒーター火傷や高熱や痛みを無くす為にも高熱を吸収換気扇機、掃除機を利用する【００１３】ヒゲや、毛わ、焼き落とした後、焼け毛が、少し残るので、タオルを水で、たらして、皮膚を、ふく必要がある。その他皮膚が、赤みた場合は、火傷のクリームをつける。
【課題を解決するための手段】
【００１４】解決しようとする問題点は、顔ヒゲも、手の毛も、腕のワキ毛も、足の毛も、耳毛も鼻毛も頭の毛も、電気ヒーターにて、焼き切る方法で、解決する【００１５】電気ヒーターホルダーカバーの、材料を、スチール財として、火傷しないように、熱を感じ無く減少させて、防止する【００１６】高熱を、吸収換気掃除機を利用し、火傷や痛みを、吸収すると、安全防止
【発明の効果】
【００１７】シエーバーのカミソリ刃から、新しく特許は、電気ヒーター活用して、顔のヒゲを、焼き切り落とす方法で、２〜３ミリ焼けても火傷や痛みない。【００１８】電気ヒーターホルダーカバーの、材料を、スチール財として、火傷しないように、熱を感じ無く減少させて、安全防止する【００１９】高温度やヒゲや毛を吸収換気掃除機、利用して引っ張って良く切れるように利用する
【発明を実施するための最良の形態】
【００２０】一般の電気シェーバー型と、同形式で良い。【００２１】電気ヒーターにて、顔ビゲ、中心に、焼き切ると、７日以上、ヒゲが、生え無くなり少しで短く、毛が、見えなくなり、遅い体質の人は、１４日間程度、１ｍｍほどしか毛が、生えなくなり、ヒゲ剃り、三日ほどしなくても、すみそうです。
【実施例】
【００２２】電気半田ゴテを、利用して、スチール製品の網戸カバーをして、顔ヒゲ、足毛や手の脇毛を、焼き切ることが、出来る。【００２３】乾電池利用して、バネ用スブリング活用しても、毛を、焼き切ることが、出来る。【００２４】充電池式のシェーバー利用を改造して、バネスブリング利用して、毛を焼き切るように改造したが、低温度で、切れにくかったので、電圧アップすることでした【００２５】ヘヤードライヤーを改造して、温度発生してる、バネスブリングは、高温度の為に皮膚が熱くて、利用出来にくかったので、電圧の調整機応用する。
【産業上の利用可能性】顔のヒゲ剃り、腕の毛剃り、腕のワキ下毛剃り、足の毛剃り、耳毛剃り、鼻毛剃りと、形態を、別々に作成することが、出来るので、美容院やサンバツ屋等に利用可能。
【図面の簡単な説明】
【００２６】「平面図」【図１】普通の電気シェーバーヒゲ剃り形式完成平面図面
【図２】Ｌ型の電気シェーバー毛剃り完成平面図面
【符号の説明】
【００２７】    「１」電気ヒーター網戸カバーに、スチール製品設置し、高温度を、人間の素肌に、柔らかく低温度に感じるように、設定する
「２」電気シェーバー用に電気ヒーター複数にして、ヒーターを回転式にして、高温度を減少し皮膚肌に柔らしいく、火傷などしないように、顔ヒゲや毛を、焼き切り良く、出来る用になる
「３」吸収換気扇型掃除機回転形式にし、高温度と、毛を、吸収形式にする
【手続補正２】
【補正対象書類名】特許請求の範囲
【補正対象項目名】全文
【補正方法】変更
【補正の内容】
【特許請求の範囲】
【請求項１】
シエーバーに電気ヒーター導入しヒゲ剃り形状設定し毛の成長や再発生が長引き人間の素肌美容化機能形式
【請求項２】
シェーバー電気ヒーター用に網戸カバースチール製形状に設定し、高温度を低下し人間の素肌に、柔らかく感じる形状製品
【請求項３】
シェーバー電気ヒーターの、高温度を吸収換気扇型掃除機形式にし、高温度や毛を吸収形式製品